(57)【要約】  本発明に従えば、第１無線通信デバイス（２２）は、第１無線ネットワークインタフェース（２８）を介してデータファイルを受信し、ファイル全体が正しく受信されているかを判定し、第１無線ネットワークインタフェース（２８）を介して正しく受信されていない、ファイルのデータを近隣にある第２無線通信デバイス（２２）から受信し、第１無線ネットワークインタフェース（２８）を介して受信されているデータと、近隣無線通信デバイス（２２）から受信しているデータとを組み合わせて、完全なファイルを取得する。第２無線通信デバイス（２２）は、第２無線ネットワークインタフェース（４２）を介してデータファイルも受信し、かつ近隣デバイス用インタフェース（４６）を介して正しく受信されていないファイルの少なくともデータを送信する。【選択図】  なし
2010527548.tif 000002
【特許請求の範囲】
【請求項１】
第１無線ネットワークインタフェース（２８）を介して第１無線通信デバイス（２０；１０）においてデータセットを受信する方法であって、
前記第１無線ネットワークインタフェース（２８）を介して前記データセットのデータを受信するステップ（５４）と、
前記データセット全体が正しく受信されているかを判定するステップ（５８）と、
自身に関連づけられている第２無線ネットワークインタフェース（４２）を介して前記データセットを順に受信している少なくとも１つの近隣無線通信デバイス（２２；１２）から、第１無線ネットワークインタフェース（２８）を介して正しく受信されていない前記データセットのデータを近隣デバイス用インタフェース（３２）を介して受信するステップ（５４）と、
完全な前記データセットを取得するために、前記第１無線ネットワークインタフェース（２８）を介して受信している前記データセットのデータと、前記近隣無線通信デバイス（２２；１２）から受信している前記データセットのデータとを組み合わせるステップ（６２）と
を備えることを特徴とする方法。
【請求項２】
前記第２無線ネットワークインタフェース（４２）を使用して前記データセットの受信時に補助するためのリクエストを前記少なくとも１つの近隣無線通信デバイス（２２；１２）へ送信するステップ（５２）を更に備える
ことを特徴とする請求項１に記載の方法。
【請求項３】
受信可能データを前記近隣無線通信デバイスへ送信するステップを更に備える
ことを特徴とする請求項２に記載の方法。
【請求項４】
前記第１無線ネットワークインタフェースにわたって存在するリンク品質よりも良好なリンク品質を示すリンク品質データを該第１無線ネットワークインタフェースを介して送信するステップを更に備える
ことを特徴とする請求項１乃至３のいずれか１項に記載の方法。
【請求項５】
前記第１無線ネットワークインタフェースを介して受信される前記データセットのデータが、示されている前記リンク品質に対応する品質で受信される
ことを特徴とする請求項４に記載の方法。
【請求項６】
前記データセットを受信する際に、少なくとも１つの近隣無線通信デバイスから補助が得られることを示すデータを前記第１無線ネットワークインタフェースを介して送信するステップを更に備える
ことを特徴とする請求項１乃至５のいずれか１項に記載の方法。
【請求項７】
前記第１無線ネットワークインタフェースを介して正しく受信されていないデータを供給することを前記近隣無線通信デバイスにリクエストするステップを更に備え、かつ、前記受信するステップは、前記第１無線ネットワークインタフェースを介して正しく受信されていないデータのみを受信するステップを備える
ことを特徴とする請求項１乃至６のいずれか１項に記載の方法。
【請求項８】
前記受信するステップは、前記近隣無線通信デバイスが前記第２無線ネットワークインタフェースを介して受信している前記データセット全体を受信するステップを備え、
前記組み合わせるステップにおいて使用するために、前記第１無線ネットワークインタフェースを介して正しく受信されていない前記データセットのデータに対応する、前記近隣無線通信デバイスから受信しているデータを選択するステップを更に備える
ことを特徴とする請求項１乃至６のいずれか１項に記載の方法。
【請求項９】
無線通信デバイス（２０；１０）であって、
無線ワイドエリアネットワーク（ＣＮ，ＡＮ）に関連付けられている第１無線ネットワークインタフェース（２８）と、
近隣無線通信デバイス（２２；１２）とインタフェースするための近隣デバイス用インタフェース（３２）と、
前記第１無線ネットワークインタフェース（２８）を介して通信するためのネットワーク通信ユニット（３０）と、
前記第１近隣デバイス用インタフェース（３２）を介して前記近隣無線通信デバイス（２２；１２）と通信するための近隣通信ユニット（３４）と、
制御ユニット（３６）とを備え、
前記制御ユニット（３６）は、
前記第１無線ネットワークインタフェース（２８）を介してデータセットのデータを受信し、
前記データセット全体が正しく受信されているかを判定し、
自身に関連づけられている第２無線ネットワークインタフェース（４２）を介して前記データセットを順に受信している少なくとも１つの前記近隣無線通信デバイス（２２；１２）から、前記第１無線ネットワークインタフェース（２８）を介して正しく受信されていない前記データセットのデータを前記近隣デバイス用インタフェース（３２）を介して受信し、
完全な前記データセットを取得するために、前記第１無線ネットワークインタフェース（２８）を介して受信している前記データセットのデータと、前記近隣無線通信デバイス（２２；１２）から受信している前記データセットのデータとを組み合わせるように構成されている
ことを特徴とする無線通信デバイス（２０；１０）。
【請求項１０】
前記制御ユニット（３６）は、更に、前記近隣無線通信デバイス（２２；１２）に関連付けられている前記第２無線ネットワークインタフェース（４２）を使用して前記データセットの受信時に補助するためのリクエストを前記少なくとも１つの近隣無線通信デバイス（２２；１２）へ送信するように構成されている
ことを特徴とする請求項９に記載の無線通信デバイス（２０；１０）。
【請求項１１】
前記制御ユニット（３６）は、更に、受信可能データを前記近隣無線通信デバイス（２２；１２）へ送信するように構成されている
ことを特徴とする請求項１０に記載の無線通信デバイス（２０；１０）。
【請求項１２】
前記制御ユニット（３６）は、更に、前記第１無線ネットワークインタフェース（２８）にわたって存在するリンク品質よりも良好なリンク品質を示すリンク品質データを該第１無線ネットワークインタフェース（２８）を介して送信するように構成されている
ことを特徴とする請求項９乃至１１のいずれか１項に記載の無線通信デバイス（２０；１０）。
【請求項１３】
前記第１無線ネットワークインタフェース（２８）を介して受信される前記データセットのデータが、示されている前記リンク品質に対応する品質で受信される
ことを特徴とする請求項１２に記載の無線通信デバイス（２０；１０）。
【請求項１４】
前記制御ユニット（３６）は、更に、前記データセットの受信時に少なくとも１つの近隣無線通信デバイスから補助が得られることを示すデータを前記第１無線ネットワークインタフェース（２８）を介して送信するように構成されている
ことを特徴とする請求項９乃至１３のいずれか１項に記載の無線通信デバイス（２０；１０）。
【請求項１５】
前記制御ユニット（３６）は、更に、前記第１無線ネットワークインタフェース（２８）を介して正しく受信されていないデータを供給することを前記近隣無線通信デバイス（２２；１２）にリクエストするように構成され、かつ、前記データセットのデータを前記近隣無線通信デバイス（２２；１２）から受信する際、前記第１無線ネットワークインタフェース（２８）を介して正しく受信されていないデータのみを受信するように構成されている
ことを特徴とする請求項９乃至１４のいずれか１項に記載の無線通信デバイス（２０；１０）。
【請求項１６】
前記制御ユニット（３６）は、前記近隣無線通信デバイス（２２）から前記データセットのデータを受信する場合、前記近隣無線通信デバイス（２２；１２）が前記第２無線ネットワークインタフェース（４２）を介して受信している前記データセット全体を受信するように構成されていて、更に、前記組み合わせにおいて使用するために、前記第１無線ネットワークインタフェース（２８）を介して正しく受信されていない前記データセットのデータに対応する、前記近隣無線通信デバイス（２２）から受信しているデータを選択するように構成されている
ことを特徴とする請求項９乃至１４のいずれか１項に記載の無線通信デバイス（２０；１０）。
【請求項１７】
当該無線通信デバイス（２０；１０）は、携帯用通信デバイスである
ことを特徴とする請求項９乃至１６のいずれか１項に記載の無線通信デバイス（２０；１０）。
【請求項１８】
当該無線通信デバイス（２０；１０）は、携帯電話機である
ことを特徴とする請求項１７に記載の無線通信デバイス（２０；１０）。
【請求項１９】
当該無線通信デバイス（２０；１０）は、無線ネットワークの基地局である
ことを特徴とする請求項９乃至１６のいずれか１項に記載の無線通信デバイス（２０；１０）。
【請求項２０】
無線ワイドエリアネットワーク（ＡＮ，ＣＮ）への第１無線ネットワークインタフェース（２８）を介して第１無線通信デバイス（２０，１０）においてデータセットを受信するためのコンピュータプログラムであって、
コンピュータプログラムコードを備え、
前記コンピュータプログラムコードは、前記無線通信デバイス（２０，１０）にロードされると、前記無線通信デバイス（２０，１０）を動作させて、
前記第１無線ネットワークインタフェース（２８）を介して前記データセットのデータを受信させ、
前記データセット全体が正しく受信されているかを判定させ、
前記第１無線ネットワークインタフェース（２８）を介して正しく受信されていないデータセットのデータを少なくとも受信させ、
自身に関連づけられている第２無線ネットワークインタフェース（４２）を介して前記データセットを順に受信している少なくとも１つの前記近隣無線通信デバイス（２２；１２）から、前記第１無線ネットワークインタフェース（２８）を介して正しく受信されていない前記データセットのデータを前記近隣デバイス用インタフェース（３２）を介して受信させ、
完全な前記データセットを取得するために、前記第１無線ネットワークインタフェース（２８）を介して受信している前記データセットのデータと、前記近隣無線通信デバイス（２２；１２）から受信している前記データセットのデータとを組み合わせさせるように構成されている
ことを特徴とするコンピュータプログラム。
【請求項２１】
近隣無線通信デバイス（２０，１０）の第１無線ネットワークインタフェース（２８）を介してデータセットを受信するために、前記近隣無線通信デバイス（２０；１０）を補助するための無線通信デバイス（２２；１２）における方法であって、
第２無線ネットワークインタフェース（４２）を介して前記データセットのデータを受信するステップ（６８）と、
近隣デバイス用インタフェース（４６）にわたって前記第１無線ネットワークインタフェース（２８）を介して前記近隣無線通信デバイス（２０；１０）によって正しく受信されていない前記データセットのデータを送信するステップ（７０）と、
前記近隣無線通信デバイス（２０；１０）に、完全な前記データセットを取得するために、前記第１無線ネットワークインタフェース（２８）を介して受信している前記データセットのデータと、前記無線通信デバイス（２２；１２）によって供給される前記データセットのデータとを組み合わせることを許容するステップと
を備えることを特徴とする方法。
【請求項２２】
前記近隣無線通信デバイス（２０；１０）から前記データセットの受信時に補助するためのリクエストを受信するステップ（６６）を更に備える
ことを特徴とする請求項２１に記載の方法。
【請求項２３】
受信可能データを前記近隣無線通信デバイス（２０；１０）から受信するステップと、
第２無線ネットワークインタフェース（４２）を介して前記データセットのデータを受信する場合に、前記受信可能データを使用するステップと
を更に備えることを特徴とする請求項２１または２２に記載の方法。
【請求項２４】
前記第１無線ネットワークインタフェース（２８）を介して正しく受信されていないデータを供給するためのリクエストを前記近隣無線通信デバイス（２０；１０）から受信するステップを更に備え、
前記送信するステップは、リクエストされているデータのみを送信するステップを備える
ことを特徴とする請求項２１乃至２３のいずれか１項に記載の方法。
【請求項２５】
前記送信するステップは、前記データセット内の受信しているすべてのデータを前記近隣無線通信デバイス（２０；１０）へ送信するステップを備えている
ことを特徴とする請求項２１乃至２３のいずれか１項に記載の方法。
【請求項２６】
近隣無線通信デバイス（２０；１０）の第１無線ネットワークインタフェース（２８）を介してデータセットを受信するために、前記近隣無線通信デバイス（２０；１０）を補助するための無線通信デバイス（２２；１２）であって、
無線ワイドエリアネットワーク（ＡＮ、ＣＮ）に関連づけられている第２無線ネットワークインタフェース（４２）と、
近隣無線通信デバイス（２０；１０）とインタフェースするための近隣デバイス用インタフェース（４６）と、
前記第２無線ネットワークインタフェース（４２）を介して通信するためのネットワーク通信ユニット（４４）と、
前記近隣デバイス用インタフェースを介して、前記近隣無線通信デバイス（２０；１０）と通信するための近隣通信ユニット（４８）と、
制御ユニット（５０）を備え、
前記制御ユニット（５０）は、
前記第２無線ネットワークインタフェース（４２）を介して前記データセットのデータを受信し、
前記近隣デバイス用インタフェース（４６）にわたって、前記第１無線ネットワークインタフェース（２８）を介して前記近隣無線通信デバイス（２０；１０）によって正しく受信されていない前記データセットのデータを送信し、
前記近隣無線通信デバイス（２０；１０）に、完全な前記データセットを取得するために前記第１無線ネットワークインタフェースを介して当該無線通信デバイス自身が受信している前記データセットのデータと、当該無線通信デバイス（２２；１２）から供給される前記データセットのデータとを組み合わせることを許容する
ように構成されている
ことを特徴とする無線通信デバイス（２２；１２）。
【請求項２７】
前記制御ユニット（５０）は、更に、前記近隣無線通信デバイス（２０；１０）からの前記データファイルの受信時に補助するためのリクエストを受信するよう構成されている
ことを特徴とする請求項２６に記載の無線通信デバイス（２２；１２）。
【請求項２８】
前記制御ユニット（５０）は、更に、前記第２無線ネットワークインタフェース（４２）を介して前記データセットのデータを受信する場合に、受信可能データを前記近隣無線通信デバイス（２０；１０）から受信し、前記受信可能データを使用することを前記ネットワーク通信用ユニット（４４）に命令するように構成されている
ことを特徴とする請求項２６または２７に記載の無線通信デバイス（２２；１２）。
【請求項２９】
前記制御ユニット（５０）は、前記第１無線ネットワークインタフェース（２８）を介して正しく受信されていないデータを供給するためのリクエストを、前記無線近隣通信デバイス（２０；１０）から受信し、かつ、前記データセットのデータを送信するように構成されている場合に、リクエストされているデータのみを送信するように構成されている
ことを特徴とする請求項２６乃至２８のいずれか１項に記載の無線通信デバイス（２２；１２）。
【請求項３０】
携帯用通信デバイスである
ことを特徴とする請求項２６乃至２９のいずれか１項に記載の無線通信デバイス（２２；１２）。
【請求項３１】
携帯電話機である
ことを特徴とする請求項３０に記載の無線通信デバイス（２２；１２）。
【請求項３２】
基地局である
ことを特徴とする請求項２６乃至２９のいずれか１項に記載の無線通信デバイス（２２；１２）。
【請求項３３】
近隣無線通信デバイス（２０；１２）の第１無線ネットワークインタフェース（２８）を介してデータセットを受信するために、前記近隣無線通信デバイス（２０；１２）を補助するためのコンピュータプログラムであって、
コンピュータプログラムコードを備え、
前記コンピュータプログラムコードは、無線通信デバイス（１２、２２）にロードされると、前記無線通信デバイス（１２、２２）を動作させて、
前記第２無線ネットワークインタフェース（４２）を介して前記データセットのデータを受信させ、
近隣デバイス用インタフェース（４６）にわたって、前記第１無線ネットワークインタフェース（２８）を介して前記近隣無線通信デバイス（２０、１２）によって正しく受信されていない前記データセットのデータを送信させ、
前記近隣無線通信デバイス（２０；１２）に、完全な前記データセットを取得するために、前記第１無線ネットワークインタフェースを介して前記近隣無線通信デバイス自体が受信している前記データセットのデータと、前記無線通信デバイス（１２；２２）から供給されている前記データセットのデータとを組み合わせることを許容する
ことを特徴とするコンピュータプログラム。
【発明の詳細な説明】
【技術分野】
【０００１】
本発明は、無線ワイドエリアネットワークを介して無線通信端末においてデータセットを受信する技術分野に関するものである。より詳しくは、本発明は、第１無線ネットワークインタフェースを介して第１無線通信デバイスにおいてデータセットを受信するための方法、無線通信デバイス及びコンピュータプログラム製品に関するのみならず、近隣デバイス（neighbour device）用の第１無線ネットワークインタフェースを介してデータセットを受信するために、近隣にある近隣無線通信デバイス（neighbour wireless communication device）を補助するための方法、無線通信デバイス及びコンピュータプログラム製品にも関するものである。
【背景技術】
【０００２】
最近、携帯電話機のような携帯用通信デバイスが様々な種類のメディア再生機能をますます頻繁に含むようになってきている。その場合、無線ネットワークを介してこのようなコンテンツを装置へダウンロードすることが知られている。
【０００３】
携帯用通信デバイスへデータをダウンロードする場合、携帯電話機の場合と同様に、このようなデータがダウンロードされる速度は、装置とネットワーク間のリンク品質に依存する。このリンク品質は、これらの場合、ビットエラーレート（ＢＥＲ）として判定される。このビットエラーレートは、更にチップレートと呼ばれるレートを判定する。無線システムにおけるチップレートは、チップが送信されるレート（０または１）である。実際の情報であるビットの符号化を行うために、いくつかのチップが使用される。ビット当たりのより少数のチップを使用して高速化が達成される。低いビットエラーのエラーレートを有するシステムでは、ビットの符号化のためには、ほんの２、３チップしか必要とされない。しかし、高いビットエラーレートの場合、ビット毎について複数のチップが必要とされる。
【０００４】
このことは、無線ネットワークとの接続が劣悪である場合、ファイルのダウンロードに非常に長い時間がかかる可能性があることを意味する。これはユーザにとってフラストレーションを引き起こすことになりかねない。したがって、劣悪なリンク品質の場合にデータのダウンロードのスピードアップに対する必要性が存在している。
【０００５】
無線通信デバイスの分野においては、アンテナダイバーシティを使用することも知られている。アンテナダイバーシティでは、複数のアンテナに無線通信デバイスを設けることが可能であり、その場合、データの転送または受信のために最適の受信品質を有する１つのアンテナが選択されることになる。しかしながら、携帯用通信デバイスは小型なものであることが多いため、１つの装置にこのような複数のアンテナが設けられる場合、これらのアンテナは通常、互いにかなり近接して配設されることになる。このことは、このような１つのアンテナが経験するリンク品質が装置内の別のアンテナによって経験されるリンク品質とあまり異ならない品質となることを意味する。追加のアンテナの提供は、追加のコストをもたらすことになると共に、さらなる装置の大型化をもたらすことになるが、この大型化は満足すべきものとはならない場合が多い。
【０００６】
ＷＣＤＭＡネットワークのような無線ネットワークにおいて、いわゆるソフトハンドオーバ時に、近隣にある基地局またはセルに対して同一の原理がしばしば適用される。この場合、携帯電話機は、ネットワークにおいていくつかの基地局と通信を行い、次いで、システムは、電話機を最適のリンク品質を有する基地局へハンドオーバする。
【０００７】
このタイプのアンテナダイバーシティ機能をデータの受信用として、そして、特に、小型化された携帯用通信デバイス用に利用することは関心を引くものとなるであろう。
【０００８】
たとえリンク品質が劣悪であっても、種々のデータファイルのようなデータ用として更に高速の転送レートが可能にする要望が存在する。
【発明の概要】
【発明が解決しようとする課題】
【０００９】
本発明は、無線通信デバイス用のデータセットの受信の補助の提供に向けられたものである。
【課題を解決するための手段】
【００１０】
本発明の第１の側面は、第１無線ネットワークインタフェースを介して第１無線通信デバイスにおいてデータセットを受信する方法に関するものである。この方法は、
第１無線ネットワークインタフェースを介してデータセットのデータを受信するステップと、
データセット全体が正しく受信されているかを判定するステップと、
近隣無線通信デバイスに関連づけられている第２無線ネットワークインタフェースを介して前記データセットを順に受信している少なくとも１つの近隣無線通信デバイスから、第１無線ネットワークインタフェースを介して正しく受信されていないデータセットのデータを近隣デバイスインタフェースを介して受信するステップと、
完全なデータセットを取得するために、第１無線ネットワークインタフェースを介して受信されているデータセットのデータと、近隣無線通信デバイスから受信しているデータセットのデータと組み合わせるステップと
を備える。
【００１１】
本発明の第２の側面は、第１の側面の特徴を含み、第２無線ネットワークインタフェースを使用してデータセットの受信時に補助するためのリクエストを少なくとも１つの近隣無線通信デバイスへ送信するステップを更に備える。
【００１２】
本発明の第３の側面は、第２の側面の特徴を含み、受信可能データを第２無線通信デバイスへ送信するステップを更に備える。
【００１３】
本発明の第４の側面は、第１の側面の特徴を含み、第１無線ネットワークインタフェースにわたって存在するリンク品質よりも良好なリンク品質を示すリンク品質データを第１無線ネットワークインタフェースを介して送信するステップを更に備える。
【００１４】
本発明の第５の側面は、第４の側面の特徴を含み、第１無線ネットワークインタフェースを介して受信されるデータセットのデータが、示されているリンク品質に対応する品質で受信される。
【００１５】
本発明の第６の側面は、第１の側面の特徴を含み、データセットを受信する際に、少なくとも１つの近隣無線通信デバイスから補助が取得されることを示すデータを第１無線ネットワークインタフェースを介して送信するステップを更に備える。
【００１６】
本発明の第７の側面は、第１の側面の特徴を含み、第１無線ネットワークインタフェースを介して正しく受信されていないデータを供給することを近隣無線通信デバイスにリクエストするステップを更に備え、かつ、近隣無線通信デバイスからデータセットのデータを受信するステップは、第１無線ネットワークインタフェースを介して正しく受信されていないデータのみを受信するステップを有する。
【００１７】
本発明の第８の側面は、第１の側面の特徴を含み、近隣無線通信デバイスからデータセットのデータを受信するステップは、近隣無線通信デバイスが第２無線ネットワークインタフェースを介して受信しているデータセット全体を受信するステップを有し、更に、データを組み合わせるステップにおいて使用するために、第１無線ネットワークインタフェースを介して正しく受信されていないデータセットのデータに対応する、近隣無線通信デバイスから受信されるデータを選択するステップを有する。
【００１８】
本発明の第９の側面は、無線通信デバイスに関するものである。この無線通信デバイスは、
無線ワイドエリアネットワークに関連付けられている第１無線ネットワークインタフェースと、
近隣無線通信デバイスとインタフェースするための近隣デバイス用インタフェースと、
第１無線ネットワークインタフェースを介して通信するためのネットワーク通信ユニットと、
第１近隣デバイス用インタフェースを介して近隣無線通信デバイスと通信するための近隣通信ユニットと、
制御ユニットを備え、
この制御ユニットは、
第１無線ネットワークインタフェースを介してデータセットのデータを受信し、
データセット全体が正しく受信されているかを判定し、
近隣デバイス用インタフェースを介する少なくとも１つの近隣無線通信デバイスであって、該近隣通信デバイスに関連づけられている第２無線ネットワークインタフェースを介してデータセットを順に受信している近隣無線通信デバイスから、第１無線ネットワークインタフェースを介して正しく受信されていないデータセットのデータを少なくとも受信し、
完全なデータセットを取得するために、第１無線ネットワークインタフェースを介して受信されているデータセットのデータと、近隣無線通信デバイスから受信しているデータセットのデータとを組み合わせるように構成されている。
【００１９】
本発明の第１０の側面は、第９の側面の特徴を含み、近隣デバイスに関連づけられている第２無線ネットワークインタフェースを使用して、データセットの受信時に補助するためのリクエストを少なくとも１つの近隣無線通信デバイスへ送信するように構成されている。
【００２０】
本発明の第１１の側面は、第１０の側面の特徴を含み、制御ユニットは、受信可能データを第２無線通信デバイスへ送信するように更に構成されている。
【００２１】
本発明の第１２の側面は、第９の側面の特徴を含み、制御ユニットは、第１無線ネットワークインタフェースにわたって存在するリンク品質よりも良好なリンク品質を示すリンク品質データを第１無線ネットワークインタフェースを介して送信するように更に構成されている。
【００２２】
本発明の第１３の側面は、第１２の側面の特徴を含み、第１無線ネットワークインタフェースを介して受信されるデータセットのデータが、示されているリンク品質に対応する品質で受信される。
【００２３】
本発明の第１４の側面は、第９の側面の特徴を含み、制御ユニットは、データセットの受信時に少なくとも１つの近隣無線通信デバイスから補助が得られることを示すデータを第１無線ネットワークインタフェースを介して送信するように更に構成されている。
【００２４】
本発明の第１５の側面は、第９の側面の特徴を含み、制御ユニットは、第１無線ネットワークインタフェースを介して正しく受信されていないデータを供給することを近隣無線通信デバイスにリクエストするように更に構成されていて、かつ、データセットのデータを近隣無線通信デバイスから受信する際、第１無線ネットワークインタフェースを介して正しく受信されていないデータの受信のみを行うように更に構成されている。
【００２５】
本発明の第１６の側面は、第９の側面の特徴を含み、制御ユニットは、近隣無線通信デバイスからデータセットのデータを受信すると、近隣無線通信デバイスが第２無線ネットワークインタフェースを介して受信しているデータセット全体を受信するように構成され、更に、データを組み合わせるステップにおいて使用するために、第１無線ネットワークインタフェースを介して正しく受信されていないデータセットのデータに対応する、近隣無線通信デバイスから受信されるデータを選択するように更に構成されている。
【００２６】
本発明の第１７の側面は、第９の側面の特徴を含み、デバイスは携帯用通信デバイスである。
【００２７】
本発明の第１８の側面は、第１７の側面の特徴を含み、デバイスは携帯電話機である。
【００２８】
本発明の第１９の側面は、第９の側面の特徴を含み、デバイスは無線ネットワークの基地局である。
【００２９】
本発明の第２０の側面は、無線ワイドエリアネットワークへの第１無線ネットワークインタフェースを介して第１無線通信デバイスにおいてデータセットを受信するためのコンピュータプログラム製品に関するものである。このコンピュータプログラム製品は、コンピュータプログラムコードを備え、このプログラムコードが無線通信デバイスにロードされる場合、無線通信デバイスに、実行させ、
第１無線ネットワークインタフェースを介してデータセットのデータを受信させ、
データセット全体が正しく受信されているかを判定させ、
自身に関連づけられている第２無線ネットワークインタフェースを介してデータセットを順に受信している少なくとも１つの近隣無線通信デバイスから、第１無線ネットワークインタフェースを介して正しく受信されていないデータセットのデータを近隣デバイス用インタフェースを介して少なくとも受信させ、
完全なデータセットを取得するために、第１無線ネットワークインタフェースを介して受信されているデータセットのデータと、近隣無線通信デバイスから受信しているデータセットのデータとを組み合わせさせるように構成されている。
【００３０】
本発明の第２１の側面は、近隣無線通信デバイスの第１無線ネットワークインタフェースを介してデータセットを受信することを、近隣無線通信デバイスを補助するための無線通信デバイスにおける方法に関するものである。この方法は、
第２無線ネットワークインタフェースを介してデータセットのデータを受信するステップと、
近隣デバイス用インタフェースにわたって第１無線ネットワークインタフェースを介して近隣無線通信デバイスによって正しく受信されていないデータセットのデータを少なくとも送信し、
近隣無線通信デバイスに、完全なデータセットを取得するために、第１無線ネットワークインタフェースを介して受信されているデータセットのデータと、無線通信デバイスによって供給されるデータセットのデータとの組み合わせを許容するステップとを備える。
【００３１】
本発明の第２２の側面は、第２１の側面の特徴を含み、近隣無線通信デバイスからデータセットを受信する際に補助するためのリクエストを受信するステップを更に備える。
【００３２】
本発明の第２３の側面は、第２１の側面の特徴を含み、受信可能データを近隣無線通信デバイスから受信するステップと、第２無線ネットワークインタフェースを介してデータセットのデータを受信する場合に受信可能データを使用するステップとを更に備える。
【００３３】
本発明の第２４の側面は、第２１の側面の特徴を含み、第１無線ネットワークインタフェースを介して正しく受信されていないデータを供給するためのリクエストを近隣無線通信デバイスから受信するステップを更に備え、かつ、データセットのデータを送信するステップはリクエストされているデータのみを送信するステップを含んでいる。
【００３４】
本発明の第２５の側面は、第２１の側面の特徴を含み、データセットのデータを送信するステップは、データセット内で受信されているすべてのデータを近隣無線通信デバイスへ送信するステップを含んでいる。
【００３５】
本発明の第２６の側面は、近隣無線通信デバイスの第１無線ネットワークインタフェースを介してデータセットを受信するために、近隣無線通信デバイスを補助する無線通信デバイスに関するものである。この無線通信デバイスは、
無線ワイドエリアネットワークに関連づけられている第２無線ネットワークインタフェースと、
近隣無線通信デバイスとインタフェースするための近隣デバイス用インタフェースと、
第２無線ネットワークインタフェースを介して通信するためのネットワーク通信ユニットと、
近隣デバイス用インタフェースを介して、近隣無線通信デバイスと通信するための近隣通信ユニットと、
制御ユニットとを備え、
この制御ユニットは、
第２無線ネットワークインタフェースを介してデータセットのデータを受信し、
近隣デバイス用インタフェースにわたって、第１無線ネットワークインタフェースを介して近隣無線通信デバイスによって正しく受信されていないデータセットのデータを送信し、
近隣無線通信デバイスに、完全なデータセットを取得するために、第１無線ネットワークインタフェースを介して該無線通信デバイス自体が受信しているデータセットのデータと、無線通信デバイスから供給されるデータセットのデータとを組み合わせる
ように構成されている。
【００３６】
本発明の第２７の側面は、第２６の側面の特徴を含み、制御ユニットは、近隣無線通信デバイスからのデータファイルの受信時に補助するためのリクエストを受信するように更に構成されている。
【００３７】
本発明の第２８の側面は、第２６の側面の特徴を含み、制御ユニットは、第２無線ネットワークインタフェースを介してデータセットのデータを受信する場合に、受信可能データを近隣無線通信デバイスから受信し、この受信可能データを使用することをネットワーク通信用ユニットに命令するように更に構成されている。
【００３８】
本発明の第２９の側面は、第２６の側面の特徴を含み、制御ユニットは、第１無線ネットワークインタフェースを介して正しく受信されていないデータを供給するためのリクエストを、無線近隣通信デバイス（２０；１０）から受信し、かつ、データセットのデータを送信するように構成されている場合に、リクエストされているデータのみを送信するように構成されている。
【００３９】
本発明の第３０の側面は、第２６の側面の特徴を含み、これは携帯用通信デバイスである。
【００４０】
本発明の第３１の側面は、第３０の側面の特徴を含み、これは携帯電話機である。
【００４１】
本発明の第３２の側面は、第２６の側面の特徴を含み、これは基地局である。
【００４２】
本発明の第３３の側面は、近隣無線通信デバイスの第１無線ネットワークインタフェースを介してデータセットを受信するように近隣無線通信デバイスを補助するためのコンピュータプログラム製品に関するものである。このコンピュータプログラム製品は、コンピュータプログラムコードを備え、このプログラムコードが無線通信デバイスにおいてロードされる場合、無線通信デバイスを実行させ、
第２無線ネットワークインタフェースを介してデータセットのデータを受信し、
近隣デバイス用インタフェースにわたって第１無線ネットワークインタフェースを介して、近隣無線通信デバイスにより正しく受信されていないデータセットのデータを少なくとも送信し、
近隣無線通信デバイスに、完全な前記データセットを取得するために、第１無線ネットワークインタフェースを介して前記近隣無線通信デバイス自体が受信している前記データセットのデータと、前記無線通信デバイスから供給されている前記データセットのデータとを組み合わせることを許容する
ように構成されている。
【００４３】
本発明には、以下のような効果がある。本発明は、データセットを無線通信デバイスへより高速に転送することを可能にする。この転送が達成されるのは、近隣デバイスによって無線通信デバイスが補助され、かつ、該無線通信デバイス自体が受信する欠陥のある任意のデータセットの一部を無線通信デバイスが訂正できるからである。この訂正は、このような装置のハードウェアに対する実質的な変更なく低価格で実現することができる。
【００４４】
本明細書で使用される場合、「備える／備えている（comprises／comprising）」という用語は、言及された特徴、ステップまたは構成の存在を特定するために用いられるが、これら以外の特徴、ステップ、構成、またはこれらのグループの存在または追加を排除するものではないという点に留意されたい。
【００４５】
以下、添付図面と関連して更に詳細に本発明について説明する。
【図面の簡単な説明】
【００４６】
【図１】コアネットワークに接続されているアクセスネットワーク並びにアクセスネットワークの基地局に接続されている２つの携帯電話機を概略的に示す図である。
【図２】携帯電話機の形態での本発明に従う無線通信デバイスの正面図である。
【図３】本発明を提示するための２つの携帯電話機に関連する部分の概略ブロック図を示す。
【図４】本発明に従うデータセットを受信する方法で実行される複数の方法ステップを示すフローチャートである。
【図５】本発明に従うデータセットを受信するように無線通信デバイスを補助する方法において実行される複数の方法ステップを示すフローチャートである。
【図６】本発明が提供する方法を実行するためのプログラムコードを含むＣＤ−ＲＯＭディスクを示す図である。
【発明を実施するための形態】
【００４７】
本発明は、例えば、ＭＰ３ファイルのようなデータファイルのデータセットを受信する際の無線通信端末の補助を目的とする。
【００４８】
本発明は、限定するものではない無線ワイドエリアネットワークを示す例示のコンテキストで詳細に説明する。ここで、ワイドエリアネットワークは、本明細書の図１に示されているユニバーサル移動通信ネットワーク（ＵＭＴＳ）である。本発明は、ＵＭＴＳのみに限定されるものではなく、例えば、ＬＴＥ（ロングタイムエボリューション）ＧＳＭ（移動通信用グローバルシステム）及びＣＤＭＡ（符号分割多元接続）ネットワークにも適用可能である。コアネットワークＣＮは第１サービスノード１８を有する。このノード１８は、パケット交換型サービスを提供するように適合されている汎用パケット無線サービス（ＧＰＲＳ）ノードであってもよい。これは、時には、サービングＧＰＲＳサービスノード（ＳＧＳＮ）と呼ばれることもある。ノード１８は、インターネットのようなコネクションレス指向型ネットワークに接続されてもよい。本願では、コアネットワークＣＮは、回路交換型のサービスノードのような別のタイプのサービスノードを含むことが可能であることを理解されるべきである。しかしながら、追加のサービスノードは、説明を簡明するために省略する。
【００４９】
コアネットワークサービスノード１８は、アクセスネットワークＡＮに接続される。このアクセスネットワークＡＮは、ＵＭＴＳ陸上無線アクセスネットワーク（ＵＴＲＡＮ）である。ＵＴＲＡＮアクセスネットワークには１つ以上の無線ネットワークコントローラ（ＲＮＣ）が含まれる。但し、図１にはＲＮＣ１６だけが示されている。ＲＮＣ１６は、複数の基地局に接続されている。ＲＮＣ１６は、第１基地局１０と第２基地局１２及び第３の基地局１４に接続されている。これらの基地局１０、１２、１４の各基地局は、セルの範囲内において通信の制御を行う。本明細書では、１つの基地局が２以上のセルの処理を行うことが可能であることが理解されるべきである。本図では、２つのセルのみが示されていて、一方は第１基地局１０と関連づけられているセルとして、また、一方は第２基地局１２に関連づけられているセル（このセルは、本図では空白として示されている）として示されている。これらのセルは、アクセスネットワークＡＮによってカバーされる地理上のエリア内に設けられる。図１において、第１電話機２０と第２電話機２２の形式で、２つのユーザ機器ユニットが、アクセスネットワークＡＮ内の基地局１０によって処理されるセル内に示され、この基地局１０と通信するユニットとして示されている。これらのユーザ装置ユニット同士も相互に通信するユニットとして示されている。通常、基地局と通信する複数の携帯電話機が設けることができることが理解されるべきである。通信の性質について、以下で、更に詳細に説明する。
【００５０】
携帯電話機２０と２２は共に無線通信デバイスであり、本明細書では、携帯用通信デバイスである。第１無線通信デバイス２０及び第２無線通信デバイス２２の双方に適用可能な上記のようなデバイスの１つが、図２の正面図に示されている。好適な実施形態において、上記デバイスは携帯電話機２０と２２であり、該デバイスにはディスプレイ２６と４０、及び、いくつかのキーを含むキーパッド２４と３８の形式のユーザ入力ユニットが通常設けられている。通常、上記デバイスには、スピーカまたはマイク等（不図示）のような他のユニットを含んでいる。キーパッド２４と３８は、機能の選択のような情報の入力のために、また、プロンプトへの応答のために使用され、ディスプレイ２６と４０は電話機のユーザに対して機能とプロンプトとを表示するために使用される。携帯電話機は、本発明を実現することができる携帯用通信デバイスである無線通信デバイスの種類の一例にすぎない。本発明は、例えば、無線ネットワークを介して通信する機能を備えるデバイスであれば、ＰＤＡ（パーソナル・デジタル・アシスタント）、パームトップ型コンピュータ、ラップトップ型コンピュータあるいはメディア・プレイヤ等の他の携帯用通信デバイスにおいても使用することができる。
【００５１】
図３は、第１携帯用通信デバイス２０及び第２携帯用通信デバイス２２の概略ブロック図を示している。個々の携帯用通信デバイスは、ディスプレイ２６と４０並びに上述のユーザのキーパッド２４と３８を含んでいる。これらのエンティティ２４と２６は、第１の制御ユニット３６に接続されている第１電話機２０内にあり、かつ、エンティティ３８と４０は、第２制御ユニット５０に接続されている第２電話機２２内にある。第１の制御ユニット３６は、順次、第１のネットワーク通信ユニット３０に接続され、次いで、第１近隣通信ユニット３４に接続される。第１のネットワーク通信ユニット３０は第１のアンテナ２８の形式で第１無線ネットワークインタフェースに順次接続される。次いで、第１近隣通信ユニット３４は、近隣無線通信デバイスの一つである第２携帯電話機２２と通信するために第１近隣デバイス用インタフェース３２に順次接続される。第１のネットワーク通信ユニット３０は、本明細書では、例えば、変調器、復調器、電力増幅器等のような、無線ネットワークにおいて通信機能を備えるＡＳＩＣ回路の形式の無線通信ユニットである。近隣通信ユニット３４は、本実施形態では、ブルートゥース通信ユニットであり、したがって、近隣デバイス用インタフェース３２はブルートゥースアンテナとなる。同様に、第２制御ユニット５０は第２ネットワーク通信ユニット４４と、第１近隣通信ユニット４８とに接続される。第２ネットワーク通信ユニット４４は、第３のアンテナ４２の形式で第２無線ネットワークインタフェースに順次接続される。そして、第２近隣通信ユニット４８は、近隣無線通信デバイスと通信を行うために、更に本明細書の第１の携帯電話機２０と通信を行うために第２近隣デバイス用インタフェース４６に順次接続される。また、第２ネットワーク通信ユニット４４も第１のネットワーク通信ユニット３０と同一の種類のものであってもよい無線通信ユニットである。これに対して、近隣通信ユニット４８もブルートゥース通信ユニットであり、したがって、近隣デバイス用インタフェース４６もブルートゥースアンテナとなる。本明細書で、当該近隣通信ユニットとインタフェースとを別様に設けてもよいことは理解されるべきである。例えば、電話機の相互接続のために使用することができるシステムコネクタが第１電話機２０に設けられている場合、このシステムコネクタをインタフェースの代替として使用することができる。ＩＲまたはＬＡＮあるいはＷＬＡＮネットワークを介するローカルネットワークのような近隣通信を行う他の方法を使用することも可能である。したがって、近隣通信ユニットと近隣デバイス用インタフェースとは、どのようにして近隣デバイスが相互に通信を行うことができるかに依存して、複数の異なる構成を有することができる。しかしながら、電話機は、無線ワイドエリアネットワークによって提供される通信規格に準拠して通信を行うように適合されている無線通信ユニットとアンテナとを含む必要がある。
【００５２】
次に、上述の図１〜図３並びに図４〜図５に関連して、本発明の実施形態に従う本発明の機能を説明する。図４は、第１電話機において提供される本発明に従うデータセットの受信方法で行われる複数の方法ステップのフローチャートを示しており、図５は、第２電話機において実行される本発明に従うデータセットを受信するように無線通信デバイスを補助する方法で行われる複数の方法ステップのフローチャートを示している。
【００５３】
すべては、例えば、第１電話機２０のユーザが、ＭＰ３ファイルのようなメディアファイルであってもよいデータファイルの形式のデータセットのダウンロードを要望するするステップから開始する。更に、第１電話機２０と第１基地局１０との間のリンク品質がかなり劣悪なものとなる場合があるが、第１電話機２０とその他の基地局１２及び１４との間のリンク品質の方が更に劣悪なものとなる。このことは、無線ワイドエリアネットワークを介してアクセスされるサーバからファイルをダウンロードするステップが通常長時間を要する場合があることを意味する。
【００５４】
本発明に従えば、近隣補助によるダウンロード機能は、第１電話機２０の第１の制御ユニット３６によって提供され、また、ディスプレイ２６を介して電話機２０のユーザに提示することができる。次いで、電話機２０のユーザは、キーパッド２４を使用して機能を選択することができる。上記ダウンロード機能が選択される場合、接続可能な１つ以上の近隣にある電話機のリストをユーザに提示することができる。近隣デバイス用インタフェース３２を介して、どのデバイスが近隣にあるかを検出するステップを通じて、あるいは、ユーザが事前に設定している所定のリストを調べるステップを通じて、上記リストの提示を行うことができる。ユーザは、また、自身で端末を選択して、これらの端末に関するデータを入力するようにしてもよい。ユーザは、また、端末のユーザが近くにいる場合、どの携帯電話機が近隣に位置しているかを調べることができる。１つ以上のこのような近隣デバイスが一旦選択されると、制御ユニット３６は、本明細書でデータファイルによって示されるデータセットを受信する際の補助に対するリクエストを送信することを、近隣通信ユニット３４に命令する、ステップ５２。このリクエストは、本明細書では、第２電話機２２へ送信される。このリクエストは、近隣デバイス用インタフェース３２を介してすべてのまたはいくつかの近隣デバイスへインスタント・メッセージを使用して送信されてもよい。また、このリクエストは、ワイドエリアネットワークを介してメッセージとして送信されてもよい。このリクエストは、例えば、第２電話機２２において、第２電話機２２の近隣デバイス用インタフェース４６と近隣通信ユニット４８とを介して受信され、次いで、第２電話機２２の第２制御ユニット５０へ転送される、ステップ６６。次いで、第２制御ユニットは、近隣補助ダウンロードクライアント機能（a neighbour assisting download client function）を開始し、ここで、第２電話機２２のユーザへリクエストが提示される。ユーザはこのリクエストを受け付けてもよいし、あるいは拒否してもよい。次いで、その回答は、好ましくは、同一の経路を戻ることで、第１電話機２０の制御ユニット３６へ送信される。このようにして、近隣にある電話機から得られる複数の応答を第１電話機２０によって受信することができる。近隣にある電話機が応答を受け入れない場合、第１の制御ユニット３６は処理を続けて、補助の対象となっていないファイルを通常の方法でダウンロードしてもよい。応答を拒否する電話機のすべては補助の対象であるダウンロードに参加しないが、応答を受け入れる電話機はダウンロードに参加する。本発明の説明を簡単にするために、本明細書では、第２電話機２２のみがダウンロードに参加することを受け入れているものと仮定する。
【００５５】
ここでは、データファイルは、ネットワークからブロードキャストすることが可能である。このブロードキャストは、ネットワークからの特別のファイル転送をリクエストする第１電話機２０を通じて行うことができる。この場合、第２電話機２２は、特別の処置が実行されることなく、ネットワークからデータファイルを受信することができる。このデータファイルは、第１電話機２０に専用の通常のトラフィック接続でダウンロードすることも可能である。この場合、第１の制御ユニット３６は、受信可能データを第１のネットワーク通信用ユニット３０から取得することができる。そのような受信可能データとして、使用する暗号化キー及び符号化キーと、第１電話機２０に宛先とされているデータを第２電話機２２が受信することを可能にする他の好適なデータとがある。このような受信可能データが第１のネットワーク通信用ユニット３０から取得される場合、受信可能データは、近隣通信ユニット３４と近隣デバイス用インタフェース３２とを介して第２電話機２２へ送信することができる。ネットワークを介してサービスが開始されるまで、このようなデータが利用できない場合もある。
【００５６】
第１電話機２０は、今度は、ネットワークを介してサーバからのファイルのダウンロードを決定する。このファイルは、コアネットワーク及びアクセスネットワークを介して、サーバから第１基地局１０を介して第１電話機２０へ転送されるようなダウンロード状態になる。次いで、このファイルは、アンテナ２８及びネットワーク通信用ユニット３０を介して第１の制御ユニット３６によって受信される、ステップ５４。同時に、このファイルは、アンテナ４２及び第２ネットワーク通信用ユニット４２を介して第２電話機２２の第２制御ユニット５０によって受信される、ステップ６８。したがって、ファイル全体は、電話機２０と２２の両方によって受信されることになる。本実施形態では、第２電話機２２の第２制御ユニット５０は、該ユニット５０が近隣の通信ユニット４８、アンテナ４６、アンテナ３２及び近隣の通信ユニット３４を介して受信するファイルのコピー全体を更に、第１の制御ユニット３６へ送信する、ステップ７０。このようにして、第１の制御ユニット３６は、コピー全体を第２電話機から受信する、ステップ５６。次いで、第１の制御ユニット３６は、該ユニット３６自身がネットワークから直接受信するファイルのコピーをチェックする。ファイル全体が正しく受信されている場合、ステップ５８、制御ユニット３６が第２電話機２２から受信するコピーは破棄される、ステップ６０。しかしながら、いくつかのブロックまたはセクションが消失していたり、エラーで溢れていたりする場合のように、ファイル全体が正しく受信されていなかった場合には、第１の制御ユニット３６は、直接受信したファイルのエラーを含む部分または欠損部分を第２電話機２２から受信される対応する（複数の）部分と置換することによって２つのファイルのコピーを組み合わせる、ステップ６２。その後、第２電話機２２から受信されるファイルの残り部分は破棄される、ステップ６４。
【００５７】
このようにして、たとえリンク品質が劣悪であっても、第１電話機はファイルを受信することが可能となる。これは、第２電話機の方がより良好な受信品質を有することができるという事実に起因する。
【００５８】
したがって、本発明は、通常許されるレートに比べて、データセットを無線通信デバイスへ転送する更に高速のレートが許されるという効果を有するものである。この高速レートでの転送が達成されるのは、近隣デバイスによって無線通信デバイスが補助され、それによって、該無線通信デバイス自体により受信される欠陥のある任意のデータセットの一部を訂正できるからである。更に、既存のユニットを使用することによって無線通信デバイスのハードウェアに対する実質的な変更を何ら行うことなく、本発明を低価格で実現することが可能である。
【００５９】
ネットワークと通信を行う場合、無線通信デバイスがリンク品質を信号で伝え、次いで、データ転送のためにそのリンク品質が使用されることが標準的処理手順である。このリンク品質は、ビットエラーレートである場合が多く、ファイルがダウンロードされる速度に直接影響を与えることになる。本明細書では、第１電話機は、ファイル転送が近隣で補助されるファイルの転送であるという事実、及び、おそらくは、ファイルのダウンロード時に補助している近隣にある端末の数をネットワークに通知することが可能である。この場合、ネットワークは、信号で送信されているレートよりも低い別のビットエラーレートを想定することが可能であり、したがって、ファイル転送のスピードアップを図ることが可能となる。代替例として、第１の制御ユニット３６によって提供される機能は、ファイル転送を補助する近隣デバイスの数を考慮し、次いで、第１のネットワーク通信ユニット３０に対してビットエラーレートの調整を行うことを指示することが可能である。ユニット３０は、このビットエラーレートをネットワークに適宜報告する。すなわち、ユニット３０は実際に知覚しているよりも低いビットエラーレートを報告する。この報告は、ユニット３０が補助されているという事実を考慮するために行われる。このようにして、より高いビットエラーレートを許容することによって、データファイルの高速受信が可能となる。実際に、これは、ネットワークがビット当たりより少数のチップを使用して、データの符号化を行うことを意味する。これによって、第１電話機は、より高いビットエラーレートでデータを受信する。第２電話機も、より高いビットエラーレートでデータを受信する。これらの２つのストリームをより高いビットエラーレートと組み合わせることによって、受け入れ可能なエラーレートを有するビットストリームが得られる。
【００６０】
ここで、本発明の上述のバージョンを更に若干修正することが可能である。第１の制御ユニットは、該ユニットが最初に受信するデータを分析し、次いで、該ユニットが正しく受信していないデータの供給を近隣の電話機に単にリクエストすることが可能である。このリクエストは、好ましくは、近隣デバイス用インタフェースを介して送信される。次いで、第２電話機は、リクエストされているデータを単に送信することによって応答を行い、その他には何もしない。次いで、このデータは、正しく受信しているファイルの一部と第１電話機で組み合わされる。この場合、例えば、毎秒一回などのかなり低い頻度でこの組み合わせを行うことが可能である。
【００６１】
本発明がファイルのダウンロードのみに限定されるわけではないことが理解されるべきである。本発明は、ファイルのアップロードに対して同様に適用することができる。この場合、図１の第１基地局１０及び第２基地局１２が同一の原理を使用して、例えば、第１電話機２０からアップロードされるデータファイルを組み合わせることも可能である。したがって、この場合、本発明に従う無線通信デバイスは基地局となる。
【００６２】
本発明に従う電話機内の制御ユニットは、好ましくは、これらのユニットの機能を実行するためのプログラムコードを中に含む対応するメモリを備える１つ以上のプロセッサの形式で提供される。図６に示されているような、ＣＤ−ＲＯＭディスク７２のような１つ以上のコンピュータプログラム製品において、このプログラムコードを提供することも可能である。このプログラムコードは、適切な処理機能を有する電話機の中へロードされる場合に本発明を実行することになる。当然のことであるが、これのために、例えば、メモリスティックのようなリムーバルメモリ等の別の種類の製品を提供することも可能である。このコンピュータプログラム製品は、ソフトウェアとして提供することも可能である。このコンピュータプログラム製品は、セルラーネットワークの外部または内部に存在するいずれかのサーバから遠隔操作によってダウンロードされる、あるいは、電話機が一時的に接続される接続先のＰＣのようなコンピュータを介してダウンロードされる。
【００６３】
上述の変形例に加えて、本発明に対して行うことができる複数の更に別の変形例が存在する。例えば、補助リクエストが近隣デバイスへ送信されず、２つのデバイスのユーザが互いに通話して、補助されるダウンロードのために必要な情報を交換することができる。次いで、第２無線デバイスのユーザは必要な情報を手動で入力することもでき、あるいは、近隣補助ダウンロードクライアント機能を開始することもできる。この機能は、次いで、同時に、リクエスト側デバイスとファイルを受信し、それから、このファイルの関連する部分をリクエストデバイス側へ送信する。
【００６４】
本発明は、特定の実施形態に関連して説明しているが、この説明は本明細書に記載の特定の形態に限定されることを意図するものではない。むしろ、本発明の範囲は添付の請求項によってのみ限定される。
【図１】
2010527548.tif 000003
【図２】
2010527548.tif 000004
【図３】
2010527548.tif 000005
【図４】
2010527548.tif 000006
【図５】
2010527548.tif 000007
【図６】
2010527548.tif 000008
【手続補正書】
【提出日】平成21年7月7日(2009.7.7)
【手続補正１】
【補正対象書類名】明細書
【補正対象項目名】００５１
【補正方法】変更
【補正の内容】
【００５１】
図３は、第１携帯用通信デバイス２０及び第２携帯用通信デバイス２２の概略ブロック図を示している。個々の携帯用通信デバイスは、ディスプレイ２６と４０並びに上述のユーザのキーパッド２４と３８を含んでいる。これらのエンティティ２４と２６は、第１の制御ユニット３６に接続されている第１電話機２０内にあり、かつ、エンティティ３８と４０は、第２制御ユニット５０に接続されている第２電話機２２内にある。第１の制御ユニット３６は、順次、第１のネットワーク通信ユニット３０に接続され、次いで、第１近隣通信ユニット３４に接続される。第１のネットワーク通信ユニット３０は第１のアンテナ２８の形式で第１無線ネットワークインタフェースに順次接続される。次いで、第１近隣通信ユニット３４は、近隣無線通信デバイスの一つである第２携帯電話機２２と通信するために第１近隣デバイス用インタフェース３２に順次接続される。第１のネットワーク通信ユニット３０は、本明細書では、例えば、変調器、復調器、電力増幅器等のような、無線ネットワークにおいて通信機能を備えるＡＳＩＣ回路の形式の無線通信ユニットである。近隣通信ユニット３４は、本実施形態では、ブルートゥース通信ユニットであり、したがって、近隣デバイス用インタフェース３２はブルートゥースアンテナとなる。同様に、第２制御ユニット５０は第２ネットワーク通信ユニット４４と、第１近隣通信ユニット４８とに接続される。第２ネットワーク通信ユニット４４は、第３のアンテナ４２の形式で第２無線ネットワークインタフェースに順次接続される。そして、第２近隣通信ユニット４８は、近隣無線通信デバイスと通信を行うために、更に本明細書の第１の携帯電話機２０と通信を行うために第２近隣デバイス用インタフェース４６に順次接続される。また、第２ネットワーク通信ユニット４４も第１のネットワーク通信ユニット３０と同一の種類のものであってもよい無線通信ユニットである。これに対して、近隣通信ユニット４８もブルートゥース通信ユニットであり、したがって、近隣デバイス用インタフェース４６もブルートゥースアンテナとなる。本明細書で、当該近隣通信ユニットとインタフェースとを別様に設けてもよいことは理解されるべきである。例えば、電話機の相互接続のために使用することができるシステムコネクタが第１電話機２０に設けられている場合、このシステムコネクタをインタフェースの代替として使用することができる。ＩＲのような近隣通信を行う他の方法を使用することも可能である。したがって、近隣通信ユニットと近隣デバイス用インタフェースとは、どのようにして近隣デバイスが相互に通信を行うことができるかに依存して、複数の異なる構成を有することができる。しかしながら、電話機は、無線ワイドエリアネットワークによって提供される通信規格に準拠して通信を行うように適合されている無線通信ユニットとアンテナとを含む必要がある。
【手続補正２】
【補正対象書類名】特許請求の範囲
【補正対象項目名】全文
【補正方法】変更
【補正の内容】
【特許請求の範囲】
【請求項１】
第１無線ネットワークインタフェース（２８）を介して第１無線通信デバイス（２０；１０）においてデータセットを受信する方法であって、
赤外線通信あるいはブルートゥース通信を使用する近隣デバイス用インタフェース（３２）を介して、近隣にある少なくとも１つの近隣無線通信デバイスを検出するステップと、
前記データセットの受信時に補助するために、前記少なくとも１つの近隣無線通信デバイスの選択を可能にするステップと、
前記データセットの受信時に補助するためのリクエストを前記少なくとも１つの近隣無線通信デバイスへ送信するステップ（５２）と、
前記リクエストを受け付ける前記少なくとも１つの近隣無線通信デバイスからの応答を受信するステップと、
前記第１無線ネットワークインタフェース（２８）を介して前記データセットのデータを受信するステップ（５４）と、
前記データセット全体が正しく受信されているかを判定するステップ（５８）と、
自身に関連づけられている第２無線ネットワークインタフェース（４２）を介して前記データセットを順に受信している少なくとも１つの近隣無線通信デバイス（２２；１２）から、第１無線ネットワークインタフェース（２８）を介して正しく受信されていない前記データセットのデータを近隣デバイス用インタフェース（３２）を介して受信するステップ（５４）と、
完全な前記データセットを取得し、前記近隣無線通信デバイス（２０；１２）自体により受信される欠陥のある任意のデータセットの一部を訂正するために、前記第１無線ネットワークインタフェース（２８）を介して受信している前記データセットのデータと、前記近隣無線通信デバイス（２２；１２）から受信している前記データセットのデータとを組み合わせるステップ（６２）と
を備えることを特徴とする方法。
【請求項２】
前記第１無線ネットワークインタフェースにわたって存在するリンク品質よりも良好なリンク品質を示し、かつ前記データセットの受信時に近隣無線通信デバイスの数を考慮するリンク品質データを該第１無線ネットワークインタフェースを介して送信するステップを更に備える
ことを特徴とする請求項１に記載の方法。
【請求項３】
受信可能データを前記近隣無線通信デバイスへ送信するステップを更に備える
ことを特徴とする請求項１または２に記載の方法。
【請求項４】
前記第１無線ネットワークインタフェースを介して受信される前記データセットのデータが、示されている前記リンク品質に対応する品質で受信される
ことを特徴とする請求項３に記載の方法。
【請求項５】
前記データセットを受信する際に、少なくとも１つの近隣無線通信デバイスから補助が得られることを示すデータを前記第１無線ネットワークインタフェースを介して送信するステップを更に備える
ことを特徴とする請求項１乃至４のいずれか１項に記載の方法。
【請求項６】
前記第１無線ネットワークインタフェースを介して正しく受信されていないデータを供給することを前記近隣無線通信デバイスにリクエストするステップを更に備え、かつ、前記受信するステップは、前記第１無線ネットワークインタフェースを介して正しく受信されていないデータのみを受信するステップを備える
ことを特徴とする請求項１乃至５のいずれか１項に記載の方法。
【請求項７】
前記受信するステップは、前記近隣無線通信デバイスが前記第２無線ネットワークインタフェースを介して受信している前記データセット全体を受信するステップを備え、
前記組み合わせるステップにおいて使用するために、前記第１無線ネットワークインタフェースを介して正しく受信されていない前記データセットのデータに対応する、前記近隣無線通信デバイスから受信しているデータを選択するステップを更に備える
ことを特徴とする請求項１乃至５のいずれか１項に記載の方法。
【請求項８】
無線通信デバイス（２０；１０）であって、
無線ワイドエリアネットワーク（ＣＮ，ＡＮ）に関連付けられている第１無線ネットワークインタフェース（２８）と、
近隣無線通信デバイス（２２；１２）とインタフェースするための、赤外線通信あるいはブルートゥース通信を使用する近隣デバイス用インタフェース（３２）と、
前記第１無線ネットワークインタフェース（２８）を介して通信するためのネットワーク通信ユニット（３０）と、
前記第１近隣デバイス用インタフェース（３２）を介して前記近隣無線通信デバイス（２２；１２）と通信するための近隣通信ユニット（３４）と、
制御ユニット（３６）とを備え、
前記制御ユニット（３６）は、
前記近隣デバイス用インタフェース（３２）を介して、近隣にある少なくとも１つの近隣無線通信デバイスを検出し、
前記データセットの受信時に補助するために、前記少なくとも１つの近隣無線通信デバイスをユーザに選択することを可能にし、
前記データセットの受信時に補助するためのリクエストを前記少なくとも１つの近隣無線通信デバイスへ送信し、
前記リクエストを受け付ける前記少なくとも１つの近隣無線通信デバイスからの応答を受信し、
前記第１無線ネットワークインタフェース（２８）を介してデータセットのデータを受信し、
前記データセット全体が正しく受信されているかを判定し、
自身に関連づけられている第２無線ネットワークインタフェース（４２）を介して前記データセットを順に受信している少なくとも１つの前記近隣無線通信デバイス（２２；１２）から、前記第１無線ネットワークインタフェース（２８）を介して正しく受信されていない前記データセットのデータを前記近隣デバイス用インタフェース（３２）を介して受信し、
完全な前記データセットを取得し、前記近隣無線通信デバイス（２０；１２）自体により受信される欠陥のある任意のデータセットの一部を訂正するために、前記第１無線ネットワークインタフェース（２８）を介して受信している前記データセットのデータと、前記近隣無線通信デバイス（２２；１２）から受信している前記データセットのデータとを組み合わせるように構成されている
ことを特徴とする無線通信デバイス（２０；１０）。
【請求項９】
前記制御ユニット（３６）は、更に、受信可能データを前記近隣無線通信デバイス（２２；１２）へ送信するように構成されている
ことを特徴とする請求項８に記載の無線通信デバイス（２０；１０）。
【請求項１０】
前記制御ユニット（３６）は、更に、前記第１無線ネットワークインタフェース（２８）にわたって存在するリンク品質よりも良好なリンク品質を示し、かつ前記データセットの受信時に近隣無線通信デバイスの数を考慮するリンク品質データを該第１無線ネットワークインタフェース（２８）を介して送信するように構成されている
ことを特徴とする請求項８または９に記載の無線通信デバイス（２０；１０）。
【請求項１１】
前記第１無線ネットワークインタフェース（２８）を介して受信される前記データセットのデータが、示されている前記リンク品質に対応する品質で受信される
ことを特徴とする請求項１０に記載の無線通信デバイス（２０；１０）。
【請求項１２】
前記制御ユニット（３６）は、更に、前記データセットの受信時に少なくとも１つの近隣無線通信デバイスから補助が得られることを示すデータを前記第１無線ネットワークインタフェース（２８）を介して送信するように構成されている
ことを特徴とする請求項８乃至１１のいずれか１項に記載の無線通信デバイス（２０；１０）。
【請求項１３】
前記制御ユニット（３６）は、更に、前記第１無線ネットワークインタフェース（２８）を介して正しく受信されていないデータを供給することを前記近隣無線通信デバイス（２２；１２）にリクエストするように構成され、かつ、前記データセットのデータを前記近隣無線通信デバイス（２２；１２）から受信する際、前記第１無線ネットワークインタフェース（２８）を介して正しく受信されていないデータのみを受信するように構成されている
ことを特徴とする請求項８乃至１２のいずれか１項に記載の無線通信デバイス（２０；１０）。
【請求項１４】
前記制御ユニット（３６）は、前記近隣無線通信デバイス（２２）から前記データセットのデータを受信する場合、前記近隣無線通信デバイス（２２；１２）が前記第２無線ネットワークインタフェース（４２）を介して受信している前記データセット全体を受信するように構成されていて、更に、前記組み合わせにおいて使用するために、前記第１無線ネットワークインタフェース（２８）を介して正しく受信されていない前記データセットのデータに対応する、前記近隣無線通信デバイス（２２）から受信しているデータを選択するように構成されている
ことを特徴とする請求項８乃至１２のいずれか１項に記載の無線通信デバイス（２０；１０）。
【請求項１５】
当該無線通信デバイス（２０；１０）は、携帯用通信デバイスである
ことを特徴とする請求項８乃至１４のいずれか１項に記載の無線通信デバイス（２０；１０）。
【請求項１６】
当該無線通信デバイス（２０；１０）は、携帯電話機である
ことを特徴とする請求項１５に記載の無線通信デバイス（２０；１０）。
【請求項１７】
当該無線通信デバイス（２０；１０）は、無線ネットワークの基地局である
ことを特徴とする請求項８乃至１４のいずれか１項に記載の無線通信デバイス（２０；１０）。
【請求項１８】
無線ワイドエリアネットワーク（ＡＮ，ＣＮ）への第１無線ネットワークインタフェース（２８）を介して第１無線通信デバイス（２０，１０）においてデータセットを受信するためのコンピュータプログラムであって、
コンピュータプログラムコードを備え、
前記コンピュータプログラムコードは、前記無線通信デバイス（２０，１０）にロードされると、前記無線通信デバイス（２０，１０）を動作させて、
赤外線通信あるいはブルートゥース通信を使用する近隣デバイス用インタフェース（３２）を介して、近隣にある少なくとも１つの近隣無線通信デバイスを検出させ、
前記データセットの受信時に補助するために、前記少なくとも１つの近隣無線通信デバイスをユーザに選択させることを可能にさせ、
前記データセットの受信時に補助するためのリクエストを前記少なくとも１つの近隣無線通信デバイスへ送信させ、
前記リクエストを受け付ける前記少なくとも１つの近隣無線通信デバイスからの応答を受信させ、
前記第１無線ネットワークインタフェース（２８）を介して前記データセットのデータを受信させ、
前記データセット全体が正しく受信されているかを判定させ、
前記第１無線ネットワークインタフェース（２８）を介して正しく受信されていないデータセットのデータを少なくとも受信させ、
自身に関連づけられている第２無線ネットワークインタフェース（４２）を介して前記データセットを順に受信している少なくとも１つの前記近隣無線通信デバイス（２２；１２）から、前記第１無線ネットワークインタフェース（２８）を介して正しく受信されていない前記データセットのデータを前記近隣デバイス用インタフェース（３２）を介して受信させ、
完全な前記データセットを取得し、前記近隣無線通信デバイス（２０；１２）自体により受信される欠陥のある任意のデータセットの一部を訂正するために、前記第１無線ネットワークインタフェース（２８）を介して受信している前記データセットのデータと、前記近隣無線通信デバイス（２２；１２）から受信している前記データセットのデータとを組み合わせさせるように構成されている
ことを特徴とするコンピュータプログラム。
【請求項１９】
近隣無線通信デバイス（２０，１０）の第１無線ネットワークインタフェース（２８）を介してデータセットを受信するために、前記近隣無線通信デバイス（２０；１０）を補助するための無線通信デバイス（２２；１２）における方法であって、
前記近隣無線通信デバイス（２０；１０）から、前記データセットの受信時に補助するためのリクエストを受信するステップ（６６）と、
前記リクエストを受け付けるか、あるいは拒否するかを判定するステップと、
受け付ける場合に、前記受信時に補助することを受け付ける前記近隣無線通信デバイス（２０；１０）へ応答を送信するステップと、
第２無線ネットワークインタフェース（４２）を介して前記データセットのデータを受信するステップ（６８）と、
赤外線通信あるいはブルートゥース通信を使用する近隣デバイス用インタフェース（４６）にわたって前記第１無線ネットワークインタフェース（２８）を介して前記近隣無線通信デバイス（２０；１０）によって正しく受信されていない前記データセットのデータを送信するステップ（７０）と、
前記近隣無線通信デバイス（２０；１０）に、完全な前記データセットを取得し、前記近隣無線通信デバイス（２０；１２）自体により受信される欠陥のある任意のデータセットの一部を訂正するために、前記第１無線ネットワークインタフェース（２８）を介して受信している前記データセットのデータと、前記無線通信デバイス（２２；１２）によって供給される前記データセットのデータとを組み合わせることを許容するステップと
を備えることを特徴とする方法。
【請求項２０】
受信可能データを前記近隣無線通信デバイス（２０；１０）から受信するステップと、
第２無線ネットワークインタフェース（４２）を介して前記データセットのデータを受信する場合に、前記受信可能データを使用するステップと
を更に備えることを特徴とする請求項１９に記載の方法。
【請求項２１】
前記第１無線ネットワークインタフェース（２８）を介して正しく受信されていないデータを供給するためのリクエストを前記近隣無線通信デバイス（２０；１０）から受信するステップを更に備え、
前記送信するステップは、リクエストされているデータのみを送信するステップを備える
ことを特徴とする請求項１９または２０に記載の方法。
【請求項２２】
前記送信するステップは、前記データセット内の受信しているすべてのデータを前記近隣無線通信デバイス（２０；１０）へ送信するステップを備えている
ことを特徴とする請求項１９または２０に記載の方法。
【請求項２３】
近隣無線通信デバイス（２０；１０）の第１無線ネットワークインタフェース（２８）を介してデータセットを受信するために、前記近隣無線通信デバイス（２０；１０）を補助するための無線通信デバイス（２２；１２）であって、
無線ワイドエリアネットワーク（ＡＮ、ＣＮ）に関連づけられている第２無線ネットワークインタフェース（４２）と、
近隣無線通信デバイス（２０；１０）とインタフェースするための、赤外線通信あるいはブルートゥース通信を使用する近隣デバイス用インタフェース（４６）と、
前記第２無線ネットワークインタフェース（４２）を介して通信するためのネットワーク通信ユニット（４４）と、
前記近隣デバイス用インタフェースを介して、前記近隣無線通信デバイス（２０；１０）と通信するための近隣通信ユニット（４８）と、
制御ユニット（５０）を備え、
前記制御ユニット（５０）は、
前記近隣無線通信デバイス（２０；１０）から、前記データセットの受信時に補助するためのリクエストを受信し、
前記リクエストを受け付けるか、あるいは拒否するかを判定し、
受け付ける場合に、前記受信時に補助することを受け付ける前記近隣無線通信デバイス（２０；１０）へ応答を送信し、
前記第２無線ネットワークインタフェース（４２）を介して前記データセットのデータを受信し、
前記近隣デバイス用インタフェース（４６）にわたって、前記第１無線ネットワークインタフェース（２８）を介して前記近隣無線通信デバイス（２０；１０）によって正しく受信されていない前記データセットのデータを送信し、
前記近隣無線通信デバイス（２０；１０）に、完全な前記データセットを取得し、前記近隣無線通信デバイス（２０；１２）自体により受信される欠陥のある任意のデータセットの一部を訂正するために前記第１無線ネットワークインタフェースを介して当該無線通信デバイス自身が受信している前記データセットのデータと、当該無線通信デバイス（２２；１２）から供給される前記データセットのデータとを組み合わせることを許容する
ように構成されている
ことを特徴とする無線通信デバイス（２２；１２）。
【請求項２４】
前記制御ユニット（５０）は、更に、前記第２無線ネットワークインタフェース（４２）を介して前記データセットのデータを受信する場合に、受信可能データを前記近隣無線通信デバイス（２０；１０）から受信し、前記受信可能データを使用することを前記ネットワーク通信用ユニット（４４）に命令するように構成されている
ことを特徴とする請求項２３に記載の無線通信デバイス（２２；１２）。
【請求項２５】
前記制御ユニット（５０）は、前記第１無線ネットワークインタフェース（２８）を介して正しく受信されていないデータを供給するためのリクエストを、前記無線近隣通信デバイス（２０；１０）から受信し、かつ、前記データセットのデータを送信するように構成されている場合に、リクエストされているデータのみを送信するように構成されている
ことを特徴とする請求項２３または２４に記載の無線通信デバイス（２２；１２）。
【請求項２６】
携帯用通信デバイスである
ことを特徴とする請求項２３乃至２５のいずれか１項に記載の無線通信デバイス（２２；１２）。
【請求項２７】
携帯電話機である
ことを特徴とする請求項２６に記載の無線通信デバイス（２２；１２）。
【請求項２８】
基地局である
ことを特徴とする請求項２３乃至２５のいずれか１項に記載の無線通信デバイス（２２；１２）。
【請求項２９】
近隣無線通信デバイス（２０；１２）の第１無線ネットワークインタフェース（２８）を介してデータセットを受信するために、前記近隣無線通信デバイス（２０；１２）を補助するためのコンピュータプログラムであって、
コンピュータプログラムコードを備え、
前記コンピュータプログラムコードは、無線通信デバイス（１２、２２）にロードされると、前記無線通信デバイス（１２、２２）を動作させて、
前記近隣無線通信デバイス（２０；１０）から、前記データセットの受信時に補助するためのリクエストを受信させ、
前記リクエストを受け付けるか、あるいは拒否するかを判定させ、
受け付ける場合に、前記受信時に補助することを受け付ける前記近隣無線通信デバイス（２０；１０）へ応答を送信させ、
前記第２無線ネットワークインタフェース（４２）を介して前記データセットのデータを受信させ、
赤外線通信あるいはブルートゥース通信を使用する近隣デバイス用インタフェース（４６）にわたって、前記第１無線ネットワークインタフェース（２８）を介して前記近隣無線通信デバイス（２０、１２）によって正しく受信されていない前記データセットのデータを送信させ、
前記近隣無線通信デバイス（２０；１２）に、完全な前記データセットを取得し、前記近隣無線通信デバイス（２０；１２）自体により受信される欠陥のある任意のデータセットの一部を訂正するために、前記第１無線ネットワークインタフェースを介して前記近隣無線通信デバイス自体が受信している前記データセットのデータと、前記無線通信デバイス（１２；２２）から供給されている前記データセットのデータとを組み合わせることを許容する
ことを特徴とするコンピュータプログラム。
【国際調査報告】
2010527548.tif 000009
2010527548.tif 000010
2010527548.tif 000011